(57)【要約】【課題】筐体に設けられたパネルから突出させることなくＵＳＢメモリデバイス等のストレージデバイスの利用が可能になる「電子機器」を提供することである。【解決手段】筐体１００内に設けられた電子回路と、該電子回路に接続され、ストレージデバイス２００の外部コネクタ部２０１が接続可能となる機器側コネクタ部１０とを有する電子機器であって、筐体１００の所定面に設けられ、所定位置に接続口１１５が形成されたパネル１１０と、機器側コネクタ部１０を保持するコネクタ保持部材２０とを有し、機器側コネクタ部１０がパネル１１０の接続口１１５から露出する第１の位置と、機器側コネクタ部１０に外部コネクタ部２０１が接続された状態のストレージデバイス２００が筐体１００内に収容される第２の位置との間で、コネクタ保持部材２０が進退動可能となるように構成される。【選択図】図１
2010195288.tif 000002
【特許請求の範囲】
【請求項１】
筐体内に設けられた電子回路と、該電子回路に接続され、ストレージデバイスの外部コネクタ部が接続可能となる機器側コネクタ部とを有する電子機器であって、
前記筐体の所定面に設けられ、所定位置に接続口が形成されたパネルと、
前記機器側コネクタ部を保持するコネクタ保持部材とを有し、
前記機器側コネクタ部が前記パネルの前記接続口から露出する第１の位置と、前記機器側コネクタ部に前記外部コネクタ部が接続された状態の前記ストレージデバイスが前記筐体内に収容される第２の位置との間で、前記コネクタ保持部材が進退動可能となる電子機器。
【請求項２】
前記コネクタ保持部材は、前記機器側コネクタ部に前記外部コネクタが接続された状態の前記ストレージデバイスの下側に位置するトレイ部を有する請求項１記載の電子機器。
【請求項３】
前記コネクタ保持部材は、前記トレイ部と一体となり、該コネクタ保持部材が前記第２の位置となるときに前記接続口を閉ざす蓋部を有する請求項２記載の電子機器。
【請求項４】
前記コネクタ保持部材は、前記機器側コネクタ部の上向き角が可変となるように当該機器側コネクタ部を保持する向き可変保持部を有する請求項１乃至３のいずれかに記載の電子機器。
【請求項５】
前記コネクタ保持部材が前記第１の位置になるときに前記機器側コネクタ部の上方向き角が最大となるように前記向き可変保持部を動かす機構を有する請求項４または５記載の電子機器。
【請求項６】
前記向き可変保持部は、前記コネクタ保持部材の前記第１の位置と前記第２の位置との間の移動方向に直交する方向に延びる軸を中心とした回動により前記機器コネクタ部の上向き角が可変となり、
前記向き可変保持部を動かす機構は、前記コネクタ保持部材の前記第１の位置に至る動きに基づいて前記可動保持部を回動させる回動機構を有する請求項５記載の電子機器。
【請求項７】
前記回動機構は、前記コネクタ保持部材の進退動の経路に沿って延びるカム面の形成されたカム部材と、前記向き可変保持部と一体となり、前記カム部材のカム面を摺動するスライド部材とを有する請求項６記載の電子機器。
【請求項８】
前記コネクタ保持部材を前記第１の位置に付勢するコネクタ付勢機構と、
前記コネクタ保持を前記第２の位置でロックし、該ロックを解除するロック／アンロック機構とを有する請求項１乃至７のいずれかに記載の電子機器。
【請求項９】
前記コネクタ保持部材を前記第１の位置と前記第２の位置との間で進退動させる進退動機構を有する請求項１乃至７のいずれかに記載の電子機器。
【請求項１０】
前記ストレージデバイスの外部コネクタ部が前記第１の位置にある前記コネクタ保持部材にて保持される前記機器側コネクタ部に接続されたことを検出するコネクタ接続検出手段と、
該コネクタ接続検出手段が、前記ストレージデバイスの外部コネクタ部が前記機器側コネクタ部に接続されたことを検出したときに、前記進退動機構を駆動させる駆動制御手段とを有する請求項９記載の電子機器。
【請求項１１】
前記コネクタ接続検出手段は、前記機器側コネクタ部に接続される前記電子回路内に含まれる請求項１０記載の電子機器。
【発明の詳細な説明】
【技術分野】
【０００１】
本発明は、ＵＳＢメモリデバイス等のストレージデバイスの外部コネクタ部が接続可能となる機器側コネクタ部を有する車載ＡＶ・ナビゲーション機器等の電子機器に関する。
【背景技術】
【０００２】
従来、ＵＳＢメモリデバイスのコネクタ（外部コネクタ）が接続可能となる機器側コネクタ（ＵＳＢコネクタ）を有する車載電子機器が提案されている（特許文献１参照）。この車載電子機器では、機器前面に設けられた操作パネルに接続口が形成され、この接続口から露出するように機器側コネクタが設けられている。そして、ＵＳＢメモリデバイスの外部コネクタが接続口を通して機器側コネクタに接続される。これにより、ＵＳＢメモリデバイスが機器側コネクタを介して内部の電子回路に接続され、当該車載電子機器においてＵＳＢメモリデバイス内の情報を利用することができるようになる。
【先行技術文献】
【特許文献】
【０００３】
【特許文献１】特開２００８−１４７０７７号公報
【発明の概要】
【発明が解決しようとする課題】
【０００４】
前述したような車載電子機器では、ＵＳＢメモリデバイスを外部コネクタによって機器側コネクタに接続して当該ＵＳＢメモリデバイスを利用する際に、ＵＳＢメモリデバイスが操作パネルから突出した状態となる。このため、利用者が操作部（操作スイッチ、操作ダイヤル、タッチパネル等）を操作する際に、操作パネルから突出したＵＳＢメモリデバイスに手を引っ掛けないように注意しなければならないなど、ＵＳＢメモリデバイスが操作の邪魔になる場合がある。また、特に車載電子機器の場合には、乗員に対面する操作パネルから突出するＵＳＢメモリデバイスが車室内の他の操作部（例えば、シフトノブ）に干渉しないように、また、衝突時の安全性を考慮して当該ＵＳＢメモリデバイスの装着位置等を決めなければならない。
【０００５】
本発明は、このような事情に鑑みてなされたもので、筐体に設けられたパネルから突出させることなくＵＳＢメモリデバイス等のストレージデバイスの利用が可能になる電子機器を提供するものである。
【課題を解決するための手段】
【０００６】
本発明に係る電子機器は、筐体内に設けられた電子回路と、該電子回路に接続され、ストレージデバイスの外部コネクタ部が接続可能となる機器側コネクタ部とを有する電子機器であって、前記筐体の所定面に設けられ、所定位置に接続口が形成されたパネルと、前記機器側コネクタ部を保持するコネクタ保持部材とを有し、前記機器側コネクタ部が前記パネルの前記接続口から露出する第１の位置と、前記機器側コネクタ部に前記外部コネクタ部が接続された状態の前記ストレージデバイスが前記筐体内に収容される第２の位置との間で、前記コネクタ保持部材が進退動可能となるよう構成される。
【０００７】
このような構成により、コネクタ保持部材を第１の位置に位置づけることによりパネルの接続口から該コネクタ部に保持された機器側コネクタ部が露出し、前記接続口を通してストレージデバイスの外部コネクタ部を前記機器側コネクタに接続することができる。ストレージデバイスは、前記外部コネクタ部によって機器側コネクタ部に接続された状態で、前記機器側コネクタ部を介して筐体内の電子回路に接続されて当該電子機器にて利用可能となる。そして、コネクタ保持部材を前記第１の位置から第２の位置まで移動させることにより、ストレージデバイスが外部コネクタ部によって機器側コネクタ部に接続された状態のまま筐体内に収容される。
【０００８】
また、本発明に係る電子機器において、前記コネクタ保持部材は、前記機器側コネクタ部に前記外部コネクタが接続された状態の前記ストレージデバイスの下側に位置するトレイ部を有する構成となる。
【０００９】
このような構成により、外部コネクタ部が機器側コネクタ部に完全に接続されなかった場合にトレイ部によってストレージデバイスを受けることができるようになるので、ストレージデバイスの接続操作時に誤ってストレージデバイスを落下させてしまうことを防止することができる。
【００１０】
また、本発明に係る電子機器において、前記コネクタ保持部材は、前記トレイ部と一体となり、該コネクタ保持部材が前記第２の位置となるときに前記接続口を閉ざす蓋部を有する構成とすることができる。
【００１１】
このような構成により、ストレージデバイスが外部コネクタ部によって機器側コネクタ部に接続された状態でコネクタ保持部材を第２の位置に移動させると、パネルに形成された接続口が蓋部によって閉ざされるので、ストレージデバイスの利用時におけるパネルの外観を損なうことなく、また、接続口からの異物の混入も防止することができる。
【００１２】
更に、本発明に係る電子機器において、前記コネクタ保持部材は、前記機器側コネクタ部の上向き角が可変となるように当該機器側コネクタ部を保持する向き可変保持部を有する構成とすることができる。
【００１３】
このような構成により、コネクタ保持部材を第１の位置に位置づけて機器側コネクタ部が接続口から露出した状態で、機器側コネクタ部をより上向きになるようにその上向き角を変えることができるようになるので、例えば車室内に設置する場合のように、当該電子機器が利用者の肩より下方に設置されたとても、利用者は、パネルの接続口からある上向き角をもって露出する機器側コネクタ部にストレージデバイスの外部コネクタ部を容易に接続させることができるようになる。
【００１４】
また、本発明に係る電子機器において、前記コネクタ保持部材が前記第１の位置になるときに前記機器側コネクタ部の上方向き角が最大となるように前記向き可変保持部を動かす機構を有する構成とすることができる。
【００１５】
このような構成により、コネクタ保持部材を第１の位置に位置づけることにより、パネルの接続口から機器側コネクタ部が最大の上向き角をもって露出するようになる。
【００１６】
また、本発明に係る電子機器において、前記向き可変保持部は、前記コネクタ保持部材の前記第１の位置と前記第２の位置との間の移動方向に直交する方向に延びる軸を中心とした回動により前記機器コネクタ部の上向き角が可変となり、前記上向き可変保持部を動かす機構は、前記コネクタ保持部材の前記第１の位置に至る動きに基づいて前記向き可変保持部を回動させる回動機構を有する構成とすることができる。
【００１７】
このような構成により、コネクタ保持部材が第１の位置まで移動する際に、向き可変保持部が回動して該向き可変保持部にて保持される機器側コネクタ部の上向き角度が変わるようになる。
【００１８】
また、本発明に係る電子機器において、前記回動機構は、前記コネクタ保持部材の進退動の経路に沿って延びるカム面の形成されたカム部材と、前記向き可変保持部と一体となり、前記カム部材のカム面を摺動するスライド部材とを有する構成とすることができる。
【００１９】
このような構成により、コネクタ保持部材が第１の位置まで移動する際に、向き可変保持部と一体となったスライド部材がカム部材のカム面を摺動して該カム面の形状に応じて動こうとすることにより、該スライド部材と一体となる向き可変保持部が軸を中心として回動するようになる。その結果、向き可変保持部に保持された機器側コネクタ部の上向き角が変わる。
【００２０】
更に、本発明に係る電子機器において、前記コネクタ保持部材を前記第１の位置に付勢するコネクタ付勢機構と、前記コネクタ保持を前記第２の位置でロックし、該ロックを解除するロック／アンロック機構とを有する構成とすることができる。
【００２１】
このような構成により、コネクタ保持部材は、コネクタ付勢機構によって第１の位置に付勢されているので、通常時において第１の位置に位置づけられた状態となり、パネルの接続口から露出した機器側コネクタ部にストレージデバイスの外部コネクタ部を接続することが可能となる。そして、ストレージデバイスが外部コネクタ部によって機器側コネクタ部に接続された状態で、コネクタ保持部材を前記コネクタ付勢機構による付勢力に抗して第２の位置まで移動させ、ロック／アンロック機構によってコネクタ保持部材を第２の位置にロックすると、機器側コネクタ部に接続されたストレージデバイスが筐体内に収容された状態となる。更に、ロック／アンロック機構によりコネクタ保持部材のロックが解除されると、前記コネクタ付勢機構により、コネクタ保持部材は第２の位置から第１の位置に戻され、ストレージデバイスを機器側コネクタ部から取り外すことができる。
【００２２】
また、本発明に係る電子機器において、前記コネクタ保持部材を前記第１の位置と前記第２の位置との間で進退動させる進退動機構を有する構成とすることができる。
【００２３】
このような構成により、第２の位置にあるコネクタ保持部材が進退動機構により第１の位置まで移動させられると、機器側コネクタ部がパネルの接続口から露出した状態となり、ストレージデバイスの外部コネクタ部を前記機器側コネクタ部に接続することができる。ストレージデバイスが外部コネクタ部によって前記機器側コネクタ部に接続された状態で、前記進退動機構によってコネクタ保持部材が第２の位置まで移動させられると、ストレージデバイスが機器側コネクタ部に接続された状態が維持されつつ筐体内に収容される。
【００２４】
更に、本発明に係る電子機器において、前記ストレージデバイスの外部コネクタ部が前記第１の位置にある前記コネクタ保持部材にて保持される前記機器側コネクタ部に接続されたことを検出するコネクタ接続検出手段と、該コネクタ接続検出手段が、前記ストレージデバイスの外部コネクタ部が前記機器側コネクタ部に接続されたことを検出したときに、前記進退動機構を駆動させる駆動制御手段とを有する構成とすることができる。
【００２５】
このような構成により、第１の位置にあるコネクタ保持部材によって保持された機器側コネクタ部にストレーデバイスの外部コネクタ部が接続されたことがコネクタ接続検出手段にて検出されると、駆動制御手段により駆動させられる進退動機構によってコネクタ保持部材が第２の位置まで移動させられる。これにより、機器側コネクタに外部コネクタによって接続された状態のストレージデバイスが筐体内に収容される。
【００２６】
また、本発明に係る電子機器において、前記コネクタ接続検出手段は、前記機器側コネクタ部に接続される前記電子回路内に含まれる構成することができる。
【００２７】
このような構成により、ストレージデバイスの外部コネクタ部が機器側コネクタ部に機械的に接続されたことを検出する手段（例えば、スイッチ、光学検出器等）を別途用いることなく、ストレージデバイスの外部コネクタ部が機器側コネクタ部に接続されたことを当該電子機器に含まれる電子回路の機能（コネクタ接続検出手段）によって検出することができるようになる。
【発明の効果】
【００２８】
本発明に係る電子機器によれば、外部コネクタ部によってストレージデバイスの接続された機器側コネクタ部を保持するコネクタ保持部材を第１の位置から第２の位置まで移動させることにより、当該ストレージデバイスが外部コネクタによって機器側コネクタに接続された状態のまま筐体内に収容されるようになるので、筐体に設けられたパネルから突出させることなくＵＳＢメモリデバイス等のストレージデバイスを利用することが可能になる。
【図面の簡単な説明】
【００２９】
【図１】本発明の第１の実施の形態に係る電子機器の外観を示す斜視図である。
【図２】ローディングトレイ（コネクタ保持部材）が第１の位置にある状態での電子機器をその筐体内部とともに示す斜視図である。
【図３】ローディングトレイが第１の位置にあってＵＳＢメモリデバイスがＵＳＢコネクタに接続された状態での電子機器を示す側面図である。
【図４】ローディングトレイが第１の位置にあってＵＳＢメモリデバイスがＵＳＢコネクタに接続された状態での電子機器を示す平面図である。
【図５】カムプレートを示す図である。
【図６】電子機器に搭載される電子回路の構成、及び該電子回路とＵＳＢメモリデバイスとの接続関係を示す図である。
【図７】電子機器に設けられた機器側ＵＳＢコネクタのピン構成を示す図である。
【図８】図７に示す機器側ＵＳＢコネクタの各ピンに割当てられた信号を示す図である。
【図９】ＵＳＢメモリデバイスを保持したローディングトレイが筐体内に収容され始めた状態での電子機器を筐体内部ともに示す斜視図である。
【図１０】ローディングトレイが第２の位置にあってＵＳＢコネクタに接続されたＵＳＢメモリデバイスが筐体内収容された状態での電子機器を筐体内部とともに示す斜視図である。
【図１１】ローディングトレイが第２の位置にあってＵＳＢコネクタに接続されたＵＳＢメモリデバイスが筐体内に収容された状態での電子機器を示す側面図である。
【図１２】ローディングトレイが第２の位置にあってＵＳＢコネクタに接続されたＵＳＢメモリデバイスが筐体内に収容された状態での電子機器を示す平面図である。
【図１３】ＵＳＢコネクタにＵＳＢメモリデバイスが接続された状態でのローディングトレイの表側から見た機構部分の外観を示す斜視図である。
【図１４】ＵＳＢコネクタにＵＳＢメモリデバイスが接続された状態でのローディングトレイの裏側から見た機構部分の外観を示す斜視図である。
【図１５】本発明の第２の実施の形態に係る電子機器のローディングトレイが第１の位置にある状態を示す側面図である。
【図１６】本発明の第２の実施の形態に係る電子機器のローディングトレイが第１の位置にある状態を示す平面図である。
【図１７】本発明の第２の実施の形態に係る電子機器のローディングトレイが第２の位置にある状態を示す側面図である。
【図１８】本発明の第２の実施の形態に係る電子機器のローディングトレイが第２の位置にある状態を示す平面図である。
【図１９】本発明の第３の実施の形態に係る電子機器のローディングトレイが第１の位置にある状態を示す側面図である。
【図２０】本発明の第３の実施の形態に係る電子機器のローディングトレイが第１の位置にある状態を示す平面図である。
【図２１】本発明の第３の実施の形態に係る電子機器のローディングトレイが第２の位置にある状態を示す側面図である。
【図２２】本発明の第３の実施の形態に係る電子機器のローディングトレイが第２の位置にある状態を示す平面図である。
【図２３】ＵＳＢコネクタにＵＳＢメモリデバイスが接続された状態でのローディングトレイの表側から見た機構部分の外観を示す斜視図である。
【図２４】ＵＳＢコネクタにＵＳＢメモリデバイスが接続された状態でのローディングトレイの裏側から見た機構部分の外観を示す斜視図である。
【図２５】筐体に設けられた電子回路の構成、及び該電子回路とＵＳＢメモリデバイスとの接続関係を示す図である。
【図２６】本発明の第４の実施の形態に係る電子機器のローディングトレイが第１の位置にある状態を示す側面図である。
【図２７】本発明の第４の実施の形態に係る電子機器のローディングトレイが第１の位置にある状態を示す平面図である。
【図２８】本発明の第４の実施の形態に係る電子機器のローディングトレイが第２の位置にある状態を示す側面図である。
【図２９】本発明の第４の実施の形態に係る電子機器のローディングトレイが第２の位置にある状態を示す平面図である。
【発明を実施するための形態】
【００３０】
以下、本発明の実施に形態について図面を用いて説明する。
【００３１】
本発明の第１の実施の形態に係る電子機器は、図１乃至図４に示すように構成されている。この電子機器は、ＵＳＢメモリデバイスの利用が可能となる車載オーディオ・ビデオ・ナビゲーション（ＡＶＮ）機器である。なお、図１は、電子機器（車載オーディオ・ビデオ・ナビゲーション機器）の外観を示す斜視図であり、図２は、ローディングトレイ（コネクタ保持部材）が第１の位置にある状態での電子機器をその筐体内部とともに示す斜視図であり、図３は、ローディングトレイが第１の位置にあってＵＳＢメモリデバイスがＵＳＢコネクタに接続された状態での電子機器を示す側面図であり、図４は、ローディングトレイが第１の位置にあってＵＳＢメモリデバイスがＵＳＢコネクタに接続された状態での電子機器を示す平面図である。
【００３２】
図１乃至図４において、この電子機器は、筐体１００の前面に前面パネル１１０が設けられた構造となり、前面パネル１１０が例えば車室内のインストルメントパネルから露出するように設置される。前面パネル１１０には、タッチパネル（操作部）を含む表示部１１２が設けられるとともに、ＵＳＢメモリデバイス２００の外部コネクタ２０１が接続されるＵＳＢコネクタ（機器側コネクタ）１０が露出可能となるように接続口１１５が形成されている。
【００３３】
筐体１００には、ローディングトレイ２０（コネクタ保持部材）が、前面パネル１１０に形成された接続口１１５から突出する第１の位置と筐体１００内に収容される第２の位置（後述する図１０乃至図１２参照）との間で進退動（方向Ａ−Ａ´の前後動）可能となるように設けられている。ローディングトレイ２０は、トレイ部２１と、ＵＳＢコネクタ１０を保持する可回動保持部２４（向き可変保持部）とを有している。トレイ部２１の先端には、ローディングトレイ２０が筐体１００内に収容されて第２の位置にあるときに接続口１１５を閉ざす蓋部２２が形成され、トレイ部２１の蓋部２２の逆側には、その幅方向において対向する一対の支持壁２３ａ、２３ｂが形成されている。この一対の支持壁２３ａ、２３ｂの間に可回動保持部２４が設けられている。
【００３４】
可回動保持部２４は、保持壁２３ａ、２３ｂからローディングトレイ２０の進退動方向Ａ−Ａ´に直交する方向に対向して同軸的に延びる２つの支持ピン２６ａ、２６ｂを軸としてトレイ部２１の上方範囲において回動可能となっている。可回動保持部２４に保持されるＵＳＢコネクタ１０は、可回動保持部２４の回動角度に応じた方向（上向き角）を向くようになる。また、ローディングトレイ２０が接続口１１５から突出して第１の位置にあるときに、可回動保持部２４に保持されたＵＳＢコネクタ１０が接続口１１５から露出する（図１及び図２参照）。
【００３５】
筐体１００内には、ローディングトレイ２０の進退動方向（Ａ−Ａ´）に沿って延びるカム板３０（カム部材）が設けられている。このカム板３０には、図５に示すように、カム溝３１が形成されている。カム溝３１は、比較的短い第１水平部分Ｅ１と、この第１水平部分Ｅ１に続いて斜めに立ち上がる傾斜部分Ｅ２と、この傾斜部分Ｅ２に続く比較的長い第２水平部分Ｅ３とから構成されている。カム板３０は、カム溝３１の第１水平部分Ｅ１が前面パネル１１０側（Ａ方向）に、第２の水平部分Ｅ３が筐体１００の奥側（Ａ´方向）になるように筐体１００内に配置されている。カム溝３１の上側面が後述するようにカム面３１ａとなる。
【００３６】
可回動保持部２４の支持ピン２６ａ、２６ｂを挟んでＵＳＢコネクタ１０と逆側にスライドピン２７が設けられている。このスライドピン２７は、可回動保持部２４から突出してカム板３０のカム溝３１に摺動自在に係合している。ＵＳＢコネクタ１０の重み（ＵＳＢメモリデバイス２００が接続された場合にはその重みも加わる）による支持ピン２６ａ、２６ｂを軸とした可回動保持部２４に対する回動力（トルク）によってスライドピン２７がカム溝３１のカム面３１ａ（上側面）に押し付けられた状態となっている。これにより、ローディングトレイ２０が進退動する過程で、スライドピン２７がカム面３１ａの形状に応じて上下動し、それに伴って可回動保持部２４が支持ピン２６ａ、２６ｂを軸にして回動する（カム板３０及びスライドピン２７によって可回動保持部２４の回動機構が構成される）。
【００３７】
ローディングトレイ２０の蓋部２２と逆側の端部からカム板３０に向いて突出するように引掛け部２８が設けられており、この引掛け部２８と前面パネル１１０の裏面側所定位置に設けられた引掛け部（図示略）とにスプリング５０の両端が引掛けられている。このスプリング５０の引っ張り力により、ローディングトレイ２０は常に第１の位置に向けて付勢されている（コネクタ付勢機構）。
【００３８】
また、筐体１００内には、ローディングトレイ２０に隣接してロックレバー４０が設けられている（ロック／アンロック機構）。ロックレバー４０は、筐体１００の底面から立設される支持シャフト４３を軸にして回動可能となり、支持シャフト４３を挟んだ両側にノブ部４１と先端が尖った係止部４２とが形成された構造となっている。支持シャフト４３には捩じりバネ（図示略）が巻回されており、ロックレバー４０は、この捩じりバネの捩じり力によって、係止部４２がローディングトレイ２０におけるトレイ部２１の側面に押し付けられるように常時付勢されている。トレイ部２１の側面の蓋部２２に近い所定位置には、ロックレバー４０の係止部４２が嵌り込むべき係止凹部２１ａが形成されている（図３及び図４参照）。また、ロックレバー４０のノブ部４１の先端部は、前面パネル１１０に形成された孔（図示略）から突出している。利用者が前面パネル１１０から突出したノブ部４１の先端部を操作することにより、前記捩じりバネの捩じり力に抗してロックレバー４０がその付勢される方向と逆方向に回動可能となる。
【００３９】
筐体１００内には、図６に示すように、オーディオ及びビデオの記録・再生機能やナビゲーションに係る各種機能を実現するＡＶＮ回路１２１を含む電子回路１２０が、例えば、ボード上に形成された状態で設けられている（図１乃至図４において図示略）。前述したようにローディングトレイ２０の可回動保持部２４に保持されたＵＳＢコネクタ１０は、例えば、図７に示すピン構成となっている。そして、ＵＳＢコネクタ１０の各ピンは、図８に示すような信号が割当てられるように、電子回路１２０に接続されている。ＵＳＢメモリデバイス２００が外部コネクタ２０１によってＵＳＢコネクタ１０に接続されると、ＵＳＢメモリデバイス２００が外部コネクタ２０１及びＵＳＢコネクタ１０を介して電子回路１２０に電気的に接続され、電子回路１２０での処理にＵＳＢメモリデバイス２００に格納された情報を利用することができるようになる。
【００４０】
前述したような電子機器においては、ローディングトレイ２０が前面パネル１１０の接続口１１５から突出する第１の位置にある状態で（図１乃至図４参照）、可回動保持部２４に保持されるＵＳＢコネクタ１０が接続口１１５から露出している。このとき、可回動保持部２４に固定されたスライドピン２７がカム溝３１の第１水平部分Ｅ１（図５参照）にあって最下位位置となることから、支持ピン２６ａ、２６ｂを軸として回動する可回動保持部２４の上向き角が最大となっている。その結果、可回動保持部２４に保持されて前面パネル１１０の接続口１１５から露出するＵＳＢコネクタ１０は、最大の上向き角をもって斜め上方向を向いている。
【００４１】
この状態で、利用者（例えば、車両運転者）は、自分の肩より下方に設置された電子機器のＵＳＢコネクタ１０に、斜め上方からその位置を確認しつつ、ＵＳＢメモリデバイス２００の外部コネクタ２０１を接続する。ＵＳＢメモリデバイス２００が外部コネクタ２０１によってＵＳＢコネクタ１０に接続された状態で、ローディングトレイ２０の蓋部２２が押されると、スプリング５０の引っ張り力に抗してローディングトレイ２０が前面パネル１１０の接続口１１５を通して、図９に示すように、筐体１００の内部に進入していく。
【００４２】
ローディングトレイ２０が筐体１００内に進入していく過程で、可回動保持部２４に固定されたスライドピン２７がカム溝３１の第１水平部分Ｅ１から傾斜部分Ｅ２を通って更に第２水平部分Ｅ３を摺動していく（図５参照）。このようにカム溝３１を摺動するスライドピン２７は、傾斜部分Ｅ２を摺動していく過程では徐々に上方に移動していき第２水平部分Ｅ３に達して最上位位置となり、第２水平部分Ｅ３を摺動していく過程でその最上位位置に維持される。このように徐々に上昇して最上位位置に達し、その最上位位置に維持されるスライドピン２７の動きにより、支持ピン２６ａ、２６ｂを軸にして回動する可回動保持部２４は、徐々に上向き角が小さくなって最終的にトレイ部２１に平行な方向を向くようになる。その結果、ローディングトレイ２０が筐体１００内に進入していくと、可回動保持部２４に保持されたＵＳＢコネクタ１０に接続されるＵＳＢメモリデバイス２００は、斜めに立ち上がった状態（図１乃至図４参照）から徐々に立ち下がりつつ（図９参照）筐体１００内に進入し、更にトレイ部２１と平行な状態となって筐体１００内に進入する。
【００４３】
そして、ローディングトレイ２０が第２の位置に達すると、図１０乃至図１２に示すように、ローディングトレイ２０の蓋部２２が前面パネル１１０の接続口１１５を閉ざす。これにより、ＵＳＢコネクタ１０に接続されたＵＳＢメモリデバイス２００は、当該電子機器の筐体１００内に完全に収納される。なお、図１０は、ローディングトレイ２０が第２の位置にあってＵＳＢメモリデバイス２００が収容された状態の電子機器を筐体１００内部とともに示す斜視図であり、図１１は、ローディングトレイ２０が第２の位置にある状態での電子機器を示す側面図であり、図１２は、ローディングトレイ２０が第２の位置にある状態での電子機器を示す平面図である。
【００４４】
ローディングトレイ２０が第２の位置となってＵＳＢコネクタ１０に接続されたＵＳＢメモリデバイス２００が筐体１００内に収納された状態において、ローディングトレイ２０のトレイ部２１の側面に押し当てられたロックレバー４０の係止部４２が、図１１及び図１２とともに図１３及び図１４に示すように、ロックレバー４０に作用する支持シャフト４３を軸とした回動付勢力によって係止凹部２１ａに嵌り込む。これにより、スプリング５０の引っ張り力によって第１の位置の方向に付勢されるローディングトレイ２０が当該第２の位置にロックされる。
【００４５】
この状態で、利用者が表示部１１２のタッチパネルを操作すると、その操作に従って電子回路１２０（図６参照）が動作し、その動作する電子回路１２０がＵＳＢコネクタ１０を介して接続されるＵＳＢメモリデバイス２００に格納された情報を処理できるようになる。このとき、前面パネル１１０からＵＳＢメモリデバイス２００が突出していないので、表示部１１２のタッチパネルを操作する利用者は、ＵＳＢメモリデバイス２００に手を引掛ける心配をする必要がなく、その操作をスムーズに行うことができる。
【００４６】
ＵＳＢメモリデバイス２００を取り外す場合、前面パネル１１０から露出するロックレバー４０のノブ部４１が操作される。ノブ部４１が操作されると、ロックレバー４０が回動付勢力に抗して回動し、係止部４２がトレイ部２１の係合凹部２１ａから外れる。これにより、ローディングトレイ２０のロックが解除される。ローディングトレイ２０の第２の位置でのロックが解除されると、スプリング５０の引っ張り力により、ローディングトレイ２０が第１の位置に向けて移動する。
【００４７】
ローディングトレイ２０が第１の位置に向けて移動する過程で、可回動保持部２４に固定されたスライドピン２７がカム溝３１の第２水平部分Ｅ３を摺動し、更にこの第２水平部分Ｅ３から傾斜部Ｅ２を通って第１水平部分Ｅ１に達する（図５参照）。このようにカム溝３１を摺動するスライドピン２７は、第３水平部分Ｅ３を摺動していく過程では同じ位置に維持され、その後の傾斜部Ｅ２を摺動していく過程では徐々に下方に移動していき第１水平部分Ｅ１に達して最下位位置となる。このように徐々に下方に移動して最下位位置に達し、その最下位位置に維持されるスライドピン２７の動きにより、支持ピン２６ａ、２６ｂを軸にして回動する可回動保持部２４は、徐々に上向き角が大きくなって最終的に最大の上向き角となる。この可回動保持部２４が最大の上向き角となった状態で、ローディングトレイ２０は前面パネル１１０の接続口１１５から突出して第１の位置となる。このようなローディングトレイ２０の第２の位置から第１の位置への移動に伴う可回動保持部２４の動きにより、可回動保持部２４に保持されたＵＳＢコネクタ１０に接続されるＵＳＢメモリデバイス２００は、筐体１００の奥からローディングトレイ２０のトレイ部２１に平行な状態が維持されつつ前面パネル１１０に向かって移動して接続口１１５を通る際に立ち上がり（図９参照）、ローディングトレイ２０が第１の位置に達したところで最大の上向き角度もって接続口１１５から突出した状態となる（図３及び図４参照）。この状態で、利用者は、外部コネクタ２０１をＵＳＢコネクタ１０から斜め上方に引き抜くことにより、ＵＳＢメモリデバイス２００を取り外すことができる。
【００４８】
前述した本発明の第１の実施の形態に係る電子機器によれば、ＵＳＢメモリデバイス２０の接続されたＵＳＢコネクタ１０を保持する可回動保持部２４の設けられたローディングトレイ２０を前面パネル１１０の接続口１１５から突出する第１の位置から筐体１００内に収容される第２の位置まで移動させることにより、ＵＳＢメモリデバイス２００がＵＳＢコネクタ１０に接続された状態のまま筐体１００内に収容されるようになる。従って、当該電子機器においてＵＳＢメモリデバイス２００を前面パネル１１０から突出させることなく利用することができるようになる。
【００４９】
また、ローディングトレイ２０が前面パネル１１０の接続口１１５から突出して第１の位置にあるとき、可回動保持部２４に保持されるＵＳＢコネクタ１０が最大の上向き角をもって接続口１１５から露出するようになるので、利用者は、自分の肩より下方に設置された電子機器のＵＳＢコネクタ１０に、斜め上方からその位置を確認しつつ、ＵＳＢメモリデバイス２００の外部コネクタ２０１を接続することができ、また、斜め上方からＵＳＢコネクタ１０に接続されたＵＳＢメモリデバイス２００を取り外すことができる。このため、ＵＳＢメモリデバイス２００のＵＳＢコネクタ１０に対する接続及び取外しの作業がやり易いものとなる。
【００５０】
更に、ローディングトレイ２０（コネクタ保持部材）が、可回動保持部２４に保持されたＵＳＢコネクタ１０に接続されたＵＳＢメモリデバイス２００の下側に位置するトレイ部２１を有する構造となっているので、ＵＳＢメモリデバイス２００の外部コネクタ２０１がＵＳＢコネクタ１０に接続されずに外れてしまった場合でも、ＵＳＢメモリデバイス２００が車室内の床まで落下することなくそのトレイ部２１によって受け止めることができるようになる。
【００５１】
次に、本発明の第２の実施の形態に係る電子機器について、図１５乃至図１８を参照して説明する。なお、図１５は、ローディングトレイが第１の位置にある状態での電子機器を示す側面図であり、図１６は、ローディングトレイが第１の位置にある状態での電子機器を示す平面図であり、図１７は、ローディングトレイが第２の位置にある状態での電子機器を示す側面図であり、図１８は、ローディングトレイが第２の位置にある状態での電子機器を示す平面図である。
【００５２】
この電子機器では、前述したように（第１の実施の形態）ローディングトレイ２０の移動と共にＵＳＢコネクタ１０を保持する可回動保持部２４が回動して、ＵＳＢコネクタ１０が接続口１１５から露出するときに斜め上方向を向くことはなく、ＵＳＢコネクタ１０が固定的にトレイ２１と平行な方向を向いた構造となっている。従って、可回動保持部２４やその回動機構（カム板３０、スライドピン２７）を設ける必要がない分、その構造が簡単なものとなる。
【００５３】
具体的には、図１５乃至図１８に示すように、ローディングトレイ２０の蓋部２２と逆側の端部にブロック状の保持部２５が形成されており、ＵＳＢコネクタ１０がトレイ部２１と平行な方向を向くように保持部２５に固定的に保持されている。そして、ローディングトレイ２０が前面パネル１１０の接続口１１５から突出する第１の位置にあるときに、保持部２５に保持されたＵＳＢコネクタ１０が接続口１１５から露出した状態となる。この状態で、ＵＳＢメモリデバイス２００の外部コネクタ２０１をＵＳＢコネクタ１０に接続することができる（図１５及び図１６参照）。
【００５４】
ＵＳＢメモリデバイス２００がトレイ部２１と平行となってＵＳＢコネクタ１０に接続された状態で、利用者は、前述した例（第１の実施の形態）と同様に、蓋部２２を押すことによってＵＳＢメモリデバイス２００をローディングトレイ２０とともに筐体１００内に収容することができる。ローディングトレイ２０が第２の位置に達すると、蓋部２２が接続口１１５を閉ざすとともに、ロック／アンロック機構を構成するロックアーム４０の係止部４２がトレイ部２１の側面に形成された係合凹部２１ａに嵌り込む。これにより、ローディングトレイ２０が第２の位置にロックされ、ＵＳＢコネクタ１０に接続されたＵＳＢメモリデバイス２００は完全に筐体１００内に収容される（図１７及び図１８参照）。
【００５５】
ＵＳＢメモリデバイス２００を取り外す場合、前述した例（第１の実施の形態）と同様に、前面パネル１１０から露出するロックレバー４０のノブ部４１が操作される。すると、ロックレバー４０が回動付勢力に抗して回動し、係止部４２が係止凹部２１ａから外れる。これにより、ローディングトレイ２０は、ロックが解除され、スプリング５０の引っ張り力によって、第２の位置から第１の位置に向けて移動する。そして、ローディングトレイ２０が再び第１の位置にて前面パネル１１０の接続口１１５から突出した状態となる。この状態で利用者は、接続口１１５から突出したローディングトレイ２０のトレイ部２１と平行な状態となるＵＳＢメモリデバイス２００をＵＳＢコネクタ１０から取り外すことができる。
【００５６】
前述した本発明の第２の実施の形態に係る電子機器においても、ＵＳＢメモリデバイス２００がＵＳＢコネクタ１０に接続された状態のまま筐体１００内に収容されるようになので、ＵＳＢメモリデバイス２００を前面パネル１１０から突出させることなく利用することができるようになる。
【００５７】
次に、本発明の第３の実施の形態に係る電子機器について、図１９乃至図２５を参照して説明する。なお、図１９は、ローディングトレイが第１の位置にある状態での電子機器を示す側面図であり、図２０は、ローディングトレイが第１の位置にある状態での電子機器を示す平面図であり、図２１は、ローディングトレイが第２の位置にある状態での電子機器を示す側面図であり、図２２は、ローディングトレイが第２の位置にある状態での電子機器を示す平面図であり、図２３は、ＵＳＢコネクタにＵＳＢメモリデバイスが接続された状態でのローディングトレイの表側から見た機構部分の外観を示す斜視図であり、図２４は、ＵＳＢコネクタにＵＳＢメモリデバイスが接続された状態でのローディングトレイの裏側から見た機構部分の外観を示す斜視図であり、図２５は、筐体に設けられた電子回路の構成、及び該電子回路とＵＳＢメモリデバイスとの接続関係を示す図である。
【００５８】
この電子機器では、第１の実施の形態に係る電子機器におけるローディングトレイ２０を第１の位置に付勢するスプリング５０（コネクタ付勢機構）とロックアーム４０（ロック／アンロック機構）とに代えて、ローディングトレイ２０を進退動させるモータを駆動源とした進退動機構が設けられると共に、搭載される電子回路が、ＵＳＢメモリデバイス２００がＵＳＢコネクタ１０に接続されたことを検出する検出回路、前記進退動駆動機構（モータ）を駆動させる駆動回路及びそれらを制御する制御回路を含むものとなっている。
【００５９】
具体的には、前述した第１の実施の形態に係る電子機器と同様に、ローディングトレイ２０が前面パネル１１０の接続口１１５から突出する第１の位置と筐体１００内の第２の位置との間で進退動可能となっており、このローディングトレイ２０に２つの支持ピン２６ａ、２６ｂを軸にして回動可能となるように設けられた可回動保持部２５にＵＳＢコネクタが保持されている。そして、可回動保持部２５に固定されるスライドピン２７がカム板３０のカム溝３１に摺動自在に係合しており、ローディングトレイ２０の第１の位置近傍での前後動に伴って可回動保持部２５が回動するようになっている。
【００６０】
図１９乃至図２４を参照するに、筐体１００内の前面パネル１１０の裏面近傍であって、ローディングトレイ２０を挟んでカム板３０と逆側の所定位置にモータ６０が設けられている。また、ローディングトレイ２０のトレイ部２１の裏面側に略矩形状の凹部２１ｂが形成されており、その凹部２１ｂのモータ６０側の側内面にラック６５が形成されている。モータ６０の近傍には、ギア６２と、同軸に結合されたギア６３及び小径のギア６４とが設けられている。ギア６２がモータ６０の軸に装着されたギア６１とギア６３とに噛み合い、そのギア６３と同軸となる小径のギア６４がラック６５に噛み合っている。これらモータ６０、ギア列（ギア６１、６２、６３、６４）及びラック６５によってローディングトレイ２０の進退動機構が構成され、モータ６０が正逆回転することによりラック６５と一体となるローディングトレイ２０が進退動する。
【００６１】
筐体１００内には、図２５に示すような電子回路１２０が搭載されている。この電子回路１２０は、第１の実施の形態の場合と同様にＡＶＮ回路１２１を含むほか、制御回路１２２、検出回路１２３及び駆動回路１２４を含んでいる。また、ＵＳＢコネクタ１０の各ピン（図７参照）は、図８に示すような信号が割当てられるように、電子回路１２０に接続されている。検出回路１２３は、ＵＳＢコネクタ１０の所定のピンに電気的に接続されており、ＵＳＢコネクタ１０にＵＳＢメモリデバイス２００の外部コネクタ２０１が接続されたことを検出して検出信号を出力する。駆動回路１２４は、制御回路１２２からの駆動制御信号に基づいて前述したローディングトレイ２０の進退動機構におけるモータ６０を駆動させる。制御回路１２２は、検出回路１２３からの検出信号に基づいて、ローディングトレイ２０が第１の位置から第２の位置まで移動するようにモータ６０を駆動させるための駆動制御信号を駆動回路１２４に出力する。また、タッチパネル（表示部１１２）での所定操作（ローディングトレイ２０の進出操作）に基づいて制御回路１２２は、ローディングトレイ２０が第２の位置から第１の位置まで移動するようにモータ６０を駆動させるための駆動制御信号を駆動回路１２４に出力する。
【００６２】
このような電子機器においては、ローディングトレイ２０が前面パネル１１０の接続口１１５から突出して第１の位置にある状態で、可回動保持部２４に保持されたＵＳＢコネクタ１０が最大の上向き角にて斜め上方を向いている。利用者が斜め上方からＵＳＢメモリデバイス２００（外部コネクタ２０１）をＵＳＢコネクタ１０に接続すると、検出回路１２３から検出信号が出力され、その検出信号に基づいた制御回路１２２からの駆動制御信号により駆動回路１２４がモータ６０を正回転駆動させる。モータ６０の正回転がギア６１からギア列（ギア６２、６３、６４）を介してラック６５に伝達し、ラック６５と一体となるローディングトレイ２０が第１の位置から筐体１００内の第２の位置に向けて移動する。
【００６３】
ローディングトレイ２０が第１の位置から第２の位置に向けて移動する際には、第１の実施の形態の場合と同様に、ＵＳＢメモリデバイス２００の接続されたＵＳＢコネクタ１０を保持する可回動保持部２４が、徐々にその上向き角が小さくなって最終的にトレイ部２１に平行な方向を向くようになる。その結果、ローディングトレイ２０が筐体１００内に進入していくと、可回動保持部２４に保持されたＵＳＢコネクタ１０に接続されるＵＳＢメモリデバイス２００は、斜めに立ち上がった状態（図１９及び図２０参照）から徐々に立ち下がりつつ（図９参照）筐体１００内に進入し、更にトレイ部２１と平行な状態となって筐体１００内に進入する。そして、蓋部２２が前面パネル１１０の接続口１１５を閉ざす第２の位置にローディングトレイ２０が達し、ＵＳＢコネクタ１０に接続されたＵＳＢメモリデバイス２００が当該電子機器の筐体１００内に完全に収容される（図２２及び図２３参照）。
【００６４】
ＵＳＢメモリデバイス２００を取り外す場合、タッチパネル（表示部１１２）において所定操作がなされる。この所定操作に基づいた信号をタッチパネル（表示部１１２）から入力した制御回路１２２が駆動制御信号を出力し、この駆動制御信号により駆動回路１２４がモータ６０を逆回転駆動させる。モータ６０の逆回転がギア６１からギア列（ギア６２、６３、６４）を介してラック６５に伝達し、ラック６５と一体となるローディングトレイ２０が前述した方向とは逆に第２の位置から第１の位置に向けて移動する。
【００６５】
ローディングトレイ２０が第２の位置から第１の位置に向けて移動する過程で、第１の実施の形態の場合と同様に、トレイ部２１と平行な方向を向いた状態が維持される可回動保持部２４が、ローディングトレイ２０が第１の位置に近づくと徐々に立ち上がり、ローディングトレイ２０が第１の位置に達すると、最大の上向き角となる。このようなローディングトレイ２０の第２の位置から第１の位置への移動に伴う可回動保持部２４の動きにより、可回動保持部２４に保持されたＵＳＢコネクタ１０に接続されるＵＳＢメモリデバイス２００は、筐体１００の奥からローディングトレイ２０のトレイ部２１に平行な状態が維持されつつ前面パネル１１０に向かって移動して接続口１１５を通る際に立ち上がり（図９参照）、ローディングトレイ２０が第１の位置に達したところで最大の上向き角をもって接続口１１５から突出した状態となる（図１９及び図２０参照）。この状態で、利用者は、外部コネクタ２０１をＵＳＢコネクタ１０から斜め上方に引き抜くことにより、ＵＳＢメモリデバイス２００を取り外すことができる。
【００６６】
前述した本発明の第３の実施の形態に係る電子機器によれば、ローディングトレイ２０が第１の位置にあって前面パネル１１０の接続口１１５から露出するＵＳＢコネクタ１０にＵＳＢメモリデバイス２００（外部コネクタ２０１）を接続すると、自動的に、ローディングトレイ２０が第１の位置から筐体１００内の第２の位置まで移動する。そのローディングトレイ２０の移動により、ＵＳＢメモリデバイス２００がＵＳＢコネクタ１０に接続された状態のまま筐体１００内に収容されるようになる。従って、当該電子機器においてＵＳＢメモリデバイス２００を前面パネル１１０から突出させることなく利用することができるようになる。
【００６７】
なお、電子回路１２０に含まれる検出回路１２３に代えて、ＵＳＢメモリデバイス２００がＵＳＢコネクタ１０に接続されたことを検出するスイッチや光学検出器等（検出手段）を電子回路１２０の外部に設けることもできる。この場合、制御回路１２２は、電子回路１２０の外部に設けられた前記検出手段での検出結果に基づいてモータ６０の駆動回路１２４を制御することができる。
【００６８】
また、ＵＳＢメモリデバイス２００がＵＳＢコネクタ１０に挿された後、所定時間（例えば、２〜３秒）遅れてローディングトレイ２０の移動が開始されるようにしてもよい。このようにすれば、ローディング動作が開始する前に、ＵＳＢメモリデバイス２００がＵＳＢコネクタ１０に確実に挿されたことを確認することができる等、余裕をもってＵＳＢメモリデバイス２００の装着作業を行うことができるようになる。
【００６９】
また、そのような検出手段を何ら設けることなく、タッチパネル（操作部）の操作によって、ローディングディスク２０が第１の位置から筐体１００内の第２の位置に移動するようにモータ６０を駆動させるようにすることもできる。
【００７０】
次に、本発明の第４の実施の形態に係る電子機器について、図２６乃至図２９を参照して説明する。なお、図２６は、ローディングトレイが第１の位置にある状態での電子機器を示す側面図であり、図２７は、ローディングトレイが第１の位置にある状態での電子機器を示す平面図であり、図２８は、ローディングトレイが第２の位置にある状態での電子機器を示す側面図であり、図２９は、ローディングトレイが第２の位置にある状態での電子機器を示す平面図である。
【００７１】
この電子機器では、第３の実施の形態に係る電子機器のように、ローディングトレイ２０の移動と共にＵＳＢコネクタ１０を保持する可回動保持部２４が回動して、ＵＳＢコネクタ１０が接続口１１５から露出するときに斜め上方向を向くことはなく、ＵＳＢコネクタ１０が固定的にトレイ２１と平行な方向を向いた構造となっている。従って、可回動保持部２４やその回動機構（カム板３０、スライドピン２７）を設ける必要がない分、その構造が簡単なものとなる。また、この電子機器では、第２の実施の形態に係る電子機器におけるローディングトレイ２０を第１の位置に付勢するスプリング５０（コネクタ付勢機構）とロックアーム４０（ロック／アンロック機構）とに代えて、ローディングトレイ２０を進退動させるモータ６０を駆動源とした進退動機構が設けられると共に、搭載される電子回路１２０が、ＵＳＢメモリデバイス２００がＵＳＢコネクタ１０に接続されたことを検出する検出回路１２３、前記進退動駆動機構（モータ）を駆動させる駆動回路１２４及びそれらを制御する制御回路１２２を含むものとなっている。
【００７２】
このような本発明の第４の実施の形態に係る電子機器においても、ＵＳＢメモリデバイス２００がＵＳＢコネクタ１０に接続された状態のまま筐体１００内に収容されるようになので、ＵＳＢメモリデバイス２００を前面パネル１１０から突出させることなく利用することができるようになる。
【００７３】
前述した各例では、ストレージデバイスとしてＵＳＢメモリデバイス２００を用いたが、機器側のコネクタに接続して用いられるものであれば他形状のストレージデバイスであってもよい。
【産業上の利用可能性】
【００７４】
以上、説明したように、本発明に係る電子機器は、筐体に設けられたパネルから突出させることなくＵＳＢメモリデバイス等のストレージデバイスの利用が可能になるという効果を有し、ＵＳＢメモリデバイス等のストレージデバイスの外部コネクタ部が接続可能となる機器側コネクタ部を有する車載ＡＶ・ナビゲーション機器等の電子機器として有用である。
【符号の説明】
【００７５】
１０  ＵＳＢコネクタ（機器側コネクタ）
２０  ローディングトレイ（コネクタ保持部材）
２１  トレイ部
２２  蓋部
２３ａ、２３ｂ  保持壁
２４  可回動保持部（向き可変保持部）
２５  保持部
２６ａ、２６ｂ  支持ピン
２７  スライドピン
２８  引掛け部
３０  カム板
３１  カム溝
３１ａ  カム面
４０  ロックレバー
４１  ノブ部
４２  係止部
４３  支持シャフト
５０  バネ
６０  モータ
６１、６２、６３、６４  ギア
６５  ラック
１００  筐体
１１０  前面パネル
１１２  表示部
１１５  接続口
１２０  電子回路
１２１  ＡＶＮ回路
１２２  制御回路
１２３  検出回路
１２４  駆動回路
２００  ＵＳＢメモリデバイス（ストレージデバイス）
２０１  外部コネクタ
【図１】
2010195288.tif 000003
【図２】
2010195288.tif 000004
【図３】
2010195288.tif 000005
【図４】
2010195288.tif 000006
【図５】
2010195288.tif 000007
【図６】
2010195288.tif 000008
【図７】
2010195288.tif 000009
【図８】
2010195288.tif 000010
【図９】
2010195288.tif 000011
【図１０】
2010195288.tif 000012
【図１１】
2010195288.tif 000013
【図１２】
2010195288.tif 000014
【図１３】
2010195288.tif 000015
【図１４】
2010195288.tif 000016
【図１５】
2010195288.tif 000017
【図１６】
2010195288.tif 000018
【図１７】
2010195288.tif 000019
【図１８】
2010195288.tif 000020
【図１９】
2010195288.tif 000021
【図２０】
2010195288.tif 000022
【図２１】
2010195288.tif 000023
【図２２】
2010195288.tif 000024
【図２３】
2010195288.tif 000025
【図２４】
2010195288.tif 000026
【図２５】
2010195288.tif 000027
【図２６】
2010195288.tif 000028
【図２７】
2010195288.tif 000029
【図２８】
2010195288.tif 000030
【図２９】
2010195288.tif 000031